(57)【特許請求の範囲】
【請求項１】
布基礎上にベースプレートを配置し、このベースプレート上の屋外側部分に鋼製土台を配置し、これらベースプレートおよび鋼製土台を前記布基礎に共通のアンカーボルトで固定し、前記ベースプレート上の屋内側部分に床パネルのパネルフレームを載せ、前記ベースプレートに突設したボルトに、板状の金物を介して前記床パネルのフレームをナットで固定し、前記鋼製土台上に外壁パネルを取付け、前記ベースプレート上に隣合う一対の床パネルのパネルフレームを載せ、これら床パネルのパネルフレームに設けた固定孔に各々嵌まる複数の固定ピンを前記ベースプレートの上面に突設し、両固定ピンの中間で前記ボルトをベースプレートに突設し、前記金物は、前記両固定ピンおよびボルトが各々嵌まる複数の孔を有する押え金物とし、前記ボルトに螺着された前記ナットの締め付けにより前記押え金物を介して両側の床パネルのパネルフレームをベースプレート上に固定した床パネル・外壁パネル固定構造。
【請求項２】
布基礎上にベースプレートを配置し、このベースプレート上の屋外側部分に鋼製土台を配置し、これらベースプレートおよび鋼製土台を前記布基礎に共通のアンカーボルトで固定し、前記ベースプレート上の屋内側部分に床パネルのパネルフレームを載せ、前記ベースプレートに突設したボルトに、板状の金物を介して前記床パネルのフレームをナットで固定し、前記鋼製土台上に外壁パネルを取付け、内部布基礎上に内部柱の足元プレートを載せてアンカーボルトで固定し、前記足元プレート上に隣合う一対の床パネルのパネルフレームを載せ、これら床パネルのパネルフレームに設けた固定孔に各々嵌まる複数の固定ピンを前記足元プレートの上面に突設し、両固定ピンの中間でボルトを前記足元プレートに突設し、前記両固定ピンおよびボルトが各々嵌まる複数の孔を有する足元プレート部押え金物を設け、前記ボルトに螺着されたナットの締め付けにより前記足元プレート部押え金物を介して両側の床パネルのパネルフレームを足元プレート上に固定した床パネル・外壁パネル固定構造。
【請求項３】
内部布基礎上に内部柱の足元プレートを載せてアンカーボルトで固定し、前記足元プレート上に隣合う一対の床パネルのパネルフレームを載せ、これら床パネルのパネルフレームに設けた固定孔に各々嵌まる複数の固定ピンを前記足元プレートの上面に突設し、両固定ピンの中間でボルトを前記足元プレートに突設し、前記両固定ピンおよびボルトが各々嵌まる複数の孔を有する足元プレート部押え金物を設け、前記ボルトに螺着されたナットの締め付けにより前記足元プレート部押え金物を介して両側の床パネルのパネルフレームを足元プレート上に固定した請求項１記載の床パネル・外壁パネル固定構造。
【請求項４】
前記床パネルのパネルフレームを構成する一対の長辺フレーム材が外向きの溝形鋼である請求項１または請求項２または請求項３記載の床パネル・外壁パネル固定構造。
【発明の詳細な説明】
【０００１】
【産業上の利用分野】
この発明は、鉄骨系工業化住宅等の建物における１階部分の床パネル・外壁パネル固定構造に関する。
【０００２】
【従来の技術と発明が解決しようとする課題】
従来、この種の住宅における１階床パネルの固定構造として、布基礎に埋込んだアンカーボルトに大引を緊結し、その上に床パネルを釘固定する構造が一般に採られている。床パネルは木製の根太に合板等の床板を張ったもの等が使用される。外壁パネルは、前記大引と並べて布基礎上に設置した土台の上にボルト接合される。土台は大引とは別のアンカーボルトで布基礎に緊結される。
しかし、上記従来構造では、布基礎上に土台と大引を各々別個にアンカーボルトで緊結しなくてはならず、さらに大引に床パネルを釘固定しなくてはならないため、現場施工の工数が多くて建方に時間がかかるという問題点がある。しかもアンカーボルトの本数が多くなり、布基礎の構築にも手間と時間がかかる。
前記構造の他にも種々の床パネル・外壁パネル固定構造が提案されているが、いずれも建方時に外壁パネルと床パネルの取付位置を個々に調整することができず、アンカーボルト位置の誤差修正等に対応することが難しい。また、床パネルと外壁パネルの設置手順が制限され、増改築に際して床パネルを取り外した後でなければ外壁パネルを取り外すことができない等の問題点がある。
【０００３】
この発明の目的は、建方が能率良く短期間で行え、床パネルと外壁パネルの位置調整も個別に行える床パネル・外壁パネル固定構造を提供することである。
この発明の他の目的は、床パネルと外壁パネルの取付手順が限定されず、増改築に際しても床パネルと外壁パネルを個別に着脱できる床パネル・外壁パネル固定構造を提供することである。
【０００４】
【課題を解決するための手段】
この発明の床パネル・外壁パネル固定構造は、以下の構成により布基礎上に床パネルと外壁パネルを固定したものである。布基礎上にベースプレートを配置し、このベースプレート上の屋外側部分に鋼製土台を配置する。これらベースプレートおよび鋼製土台を前記布基礎に共通のアンカーボルトで固定する。前記ベースプレート上の屋内側部分に床パネルのパネルフレームを載せ、前記ベースプレートに突設したボルトに、板状の金物を介して前記床パネルのフレームをナットで固定する。前記鋼製土台上には外壁パネルを取付ける。
前記床パネル・外壁パネル固定構造において、前記ベースプレート上に隣合う一対の床パネルのパネルフレームを載せ、これら床パネルのパネルフレームに設けた固定孔に各々嵌まる複数の固定ピンを前記ベースプレートの上面に突設し、両固定ピンの中間で前記ボルトをベースプレートに突設し、前記金物は、前記両固定ピンおよびボルトが各々嵌まる複数の孔を有する押え金物とし、前記ボルトに螺着された前記ナットの締め付けにより前記押え金物を介して両側の床パネルのパネルフレームをベースプレート上に固定してもよい。
前記床パネル・外壁パネル固定構造において、内部布基礎上に内部柱の足元プレートを載せてアンカーボルトで固定し、前記足元プレート上に隣合う一対の床パネルのパネルフレームを載せ、これら床パネルのパネルフレームに設けた固定孔に各々嵌まる複数の固定ピンを前記足元プレートの上面に突設し、両固定ピンの中間でボルトを前記足元プレートに突設し、前記両固定ピンおよびボルトが各々嵌まる複数の孔を有する足元プレート部押え金物を設け、前記ボルトに螺着されたナットの締め付けにより前記足元プレート部押え金物を介して両側の床パネルのパネルフレームを足元プレート上に固定してもよい。
前記床パネル・外壁パネル固定構造において、前記床パネルのパネルフレームを外向きの溝形鋼としてもよい。
【０００５】
【作用】
この固定構造によると、ベースプレートの屋内側部分に床パネルのパネルフレームをボルト締めし、鋼製土台を介してベースプレートの屋外側部分に外側パネルをボルト締めできるので、建方時における床パネルと外壁パネルの位置調整を個別に行うことができる。また、ベースプレートと鋼製土台とを共通のアンカーボルトに取付けるので、アンカーボルトの設置本数が少なくて済み、基礎の構築が容易になると共に、ボルト締め箇所も少なくて済む。これらにより、建方や基礎構築の施工時間が短縮される。
上記固定構造において、ベースプレートに固定ピンを突設し、押え金物の中間をボルト締めする構成とした場合は、各パネルフレームの固定孔を前記固定ピンに嵌め込み、１回のボルト締めを行うだけで、隣合う一対の床パネルをベースプレート上に固定できる。
また、内部柱の足元プレートに固定ピンを設け、押え金物の中間をボルト締めする構成とした場合も、各パネルフレームの固定孔を前記固定ピンに嵌め込み、１回のボルト締めを行うだけで、隣合う一対の床パネルを足元プレート上に固定することができる。
前記床パネルのパネルフレームを外向きの溝形鋼とした場合は、ベースプレート上や足元プレート上に床パネルのパネルフレームをボルト締めする作業を、床パネル間の隙間や、床パネルと外壁パネル間の隙間から行うことができ、増改築に際しても、床パネルだけや、あるいは外壁パネルだけを取外すことができる。
【０００６】
【実施例】
この発明の一実施例を図１ないし図９に基づいて説明する。図２はこの発明の床パネル・外壁パネル固定構造を適用した建物の一階部分を示す分解斜視図である。建物外周部における布基礎１上の複数箇所には、布基礎１のアンカーボルト２が貫通するボルト挿通孔４を有するベースプレート３を配置し、これら各ベースプレート３の屋外側部分に、前記アンカーボルト２が貫通するボルト挿通孔６を有する鋼製土台５を配置する。前記アンカーボルト２にナット７（図１）を螺着することにより、前記ベースプレート３と鋼製土台５とを布基礎１の上に締め付け固定する。鋼製土台５は、図３（Ｃ）に示すように、重量鉄骨の溝形鋼からなる土台本体５ａと、その上下フランジ間に各々溶接した複数枚の補強プレート５ｂと、Ｌ形に屈曲した端部プレート５ｃとからなる短尺のピース物としてある。なお、鋼製土台５は、布基礎１に沿って延びる長尺物としても良い。
【０００７】
ベースプレート３上の屋内側部分には一階床パネル８のパネルフレーム９を載せ、ベースプレート３上にボルト締めする。一階床パネル８は、図５に示す鋼製のパネルフレーム９の上に、その長辺に沿って図２のように複数本の平行な木製の根太１０を設け、この根太１０の上に合板等からなる床板１１を設け、この床板１１の裏面の各根太１０間の空間にポリスチレンフォーム等からなる断熱材１２（図１、図２）を設けたものである。パネルフレーム９は、外枠部を構成する一対の長辺フレーム材９ａが外向きの溝形鋼からなり、これら長辺フレーム材９ａ，９ａ間に、長辺フレーム材９ａよりもウエブの狭い溝形鋼製の短辺フレーム材９ｂが、パネル外周部および中間位置に接合してある。長辺フレーム材９ａの下フランジにはベースプレート３の上面に突設されたボルト１３や固定ピン１４が貫通する固定孔１５が形成されている。出隅部等や床パネル長さの中央位置に対応する布基礎１上においては、図１や図３（Ｂ）のように前記ボルト１３に螺着するナット１６で一階床パネル８のパネルフレーム９をベースプレート３上に締付け固定する。ナット６の下には座金となる角プレート状の金具１７Ａを介在させる。
なお、外壁部分の布基礎１上における一部のベースプレート３Ａは、一階床パネル８を載せる屋内側部分のないものとし、このベースプレート３Ａ上に前記ベースプレート３と同様に鋼製土台５を載置し、アンカーボルト２で固定する。また、各鋼製土台５の屋外側は、土台カバー５４で覆い、その外側に布基礎外面のモルタル５５を塗る。
【０００８】
外壁部分の布基礎１上のうち、一対の一階床パネル８，８が隣合う部分に配置するベースプレート３には、図３（Ａ），（Ｄ）のように隣合う一階床パネル８のパネルフレーム９の固定孔１５（図２）に嵌まる一対の固定ピン１４，１４と、両固定ピン１４の中間に位置するボルト１３が突設してある。隣合う一階床パネル８のパネルフレーム９は、それらの各固定孔１５が前記ベースプレート３の対応する固定ピン１４に嵌まるように配置し、さらに図３（Ｄ）のように前記各固定ピン１４とボルト１３が貫通する３つの孔を有する板状の押え金物１７を両パネルフレーム９，９の下フランジ間に跨がるように配置する。その後、前記ボルト１３にナット１６を螺着して前記押え金物１７を押えることにより、隣合う一階床パネル８のパネルフレーム９がベースプレート３上に固定される。
【０００９】
また、図２の内部布基礎１Ａ上の下階内部柱１８Ａが立設される部分では、図４のように下階内部柱１８Ａの下端に溶接された足元プレート１９を内部布基礎１Ａ上に載せ、足元プレート１９に形成したボルト挿通孔２５（図２）に貫通するアンカーボルト２にナット７を螺着して締め付け固定する。足元プレート１９上には隣合う一対の一階床パネル８，８のパネルフレーム９を載せる。足元プレート１９の上面には、両パネルフレーム９，９の下フランジの固定孔１５に嵌合する各固定ピン１４Ａ，１４Ａと、両固定ピン１４Ａ，１４Ａの中間に位置するボルト１３Ａとが突設してある。隣合う両パネルフレーム９，９の下フランジ間に跨がって、両固定ピン１４Ａ，１４Ａおよびボルト１３Ａが各々嵌まる複数の孔を有する足元プレート押え金物２０を配置し、前記ボルト１３Ａに螺合するナット２１の締め付けにより、前記足元プレート押え金物２０を介して両一階床パネル８，８のパネルフレーム９を足元プレート１９上に固定する。
【００１０】
前記ベースプレート３，３Ａ上の屋外側部分に固定した鋼製土台５の上には、図１のように一階外壁パネル２２を載せ、一部の鋼製土台５に対してボルト２３で締め付け固定する。すなわち、一部の鋼製土台５の上フランジには図３（Ｄ）のようにボルト挿通孔２４Ａ，２４Ｂを設け、一階外壁パネル２２の下辺フレーム材２６ｂに設けられたボルト２３（図１）を前記ボルト挿通孔２４Ａに挿入してボルト接合することにより取付ける。
【００１１】
図６に示す２階用等の上階床パネル２８は、図９のように内向きの溝形鋼からなる一対の平行な長辺フレーム材２９ａ，２９ａ、およびこれら長辺フレーム材２９ａ，２９ａ間に接合した複数本の短辺フレーム材２９ｂからなる鋼製のパネルフレーム２９を有する。このパネルフレーム２９の上に、長辺フレーム材２９ａに沿って複数本の平行な木製の根太３０を設け、根太３０上にパーティクルボードまたは合板等からなる床板３１を設けて上階床パネル２８が構成される。パネルフレーム２９には、図９（Ａ）のように水平ブレース３２を交差状に張って補強する。水平ブレース３２は、中間にターンバクル（図示せず）を有する鋼棒等からなる。
【００１２】
上階床パネル２８は、図６に示す一階外壁パネル２２および上階床大梁３３の設置後に取付ける。一階外壁パネル２２は、いずれも鋼製の一階柱１８を挟んでその両側に配置され、一階柱１８とボルト結合される。これら一階外壁パネル２２の上辺フレーム材２６ａの上面には、一階柱１８の近傍部でねじ孔３４を設け、このねじ孔３４に両切ボルト３５を上面に突出状態にねじ込む。また、一階柱１８の上端には柱頭プレート３６を起立姿勢に設ける。
前記上階床大梁３３はＨ形鋼等からなり、図６（Ｂ）に１棟の住宅の２階床の配置例を示すように、両側の妻面の中央間に渡って１本だけ配置される。各上階床パネル２８は、上階床大梁３３の両側で、各々長辺方向を妻面と平行として上階床大梁３３と一階外壁パネル２２の間に架設される。上階床パネル２８は、端部が一階外壁パネル２２の上に載せられることになる。上階床大梁３３の両側面にはねじ孔３８を有する床パネル接合プレート３７を溶接等で接合して設け、前記ねじ孔３８に両切ボルト３９をねじ込んでおく。
【００１３】
上階床パネル２８の設置にあたっては、クレーン等で設置高さまで吊り降ろした後、長辺フレーム材２９ａの端板２７の孔４０を、上階床大梁３３の両切ボルト３９に図７（Ｃ）に矢印で示すように入れ込む。ついで、上階床パネル２８のパネルフレーム２９を一階外壁パネル２２の上辺フレーム材２６ａに載せ、前記パネルフレーム２９に設けられた固定孔４１（図７（Ｂ））に一階外壁パネル２の両切ボルト３５を挿通させる。この両切ボルト３５にナット４２（図１）を螺着することにより、上階床パネル２８のパネルフレーム２９を一階外壁パネル２２の上辺フレーム材２６ａに接合する。また、上階床大梁３３の両切ボルト３９にもナット（図示せず）を螺着し、上階床パネル２８を上階床大梁３３に接合する。
また、前記柱頭プレート３６に設けた孔４３（図７（Ａ），（Ｂ））、および隣合う両上階床パネル２８，２８のパネルフレーム２９に設けた孔４４（図７（Ｂ））にわたって挿通するボルト４５で、図８のように両上階床パネル２８，２８と柱頭プレート３６とを縫い合わせ接合する。なお、上階柱１８Ｂの柱下端プレート３６Ａと、その両側の上階床パネル２８，２８も、図８（Ａ）のように同様にしてボルト４５で接合する。このようにして設置された前記上階床パネル２８のパネルフレーム２９の長辺フレーム材２９ａは、建物躯体の梁または胴差となる。
【００１４】
前記上階床パネル２８に対しては、図７（Ｄ）のようにして鋼製のバルコニー腕木４６を固定する。すなわち、隣合う上階床パネル２８，２８間に、バルコニー腕木４６の板状となった基端部を介在させ、片方の上階床パネル２８のパネルフレーム２９から突出させた両切ボルト４７を、前記バルコニー腕木４６に設けた位置決め孔４８に挿通させて位置決めした後、両側の上階床パネル２８，２８のパネルフレーム２９に設けられた孔４９（図７（Ｂ））と、前記バルコニー腕木４６の基端部に設けたボルト挿通孔５０とにわたってボルト５１を挿通させてナット５２で締め付ける。このように取付けられる一対のバルコニー腕木４６により、バルコニー５３（図６（Ｂ））の両端が支持される。
【００１５】
【発明の効果】
この発明の床パネル・外壁パネル固定構造は、布基礎上にベースプレートを配置し、このベースプレート上の屋外側部分に鋼製土台を配置し、これらベースプレートおよび鋼製土台を前記布基礎に共通のアンカーボルトで固定し、前記ベースプレート上の屋内側部分に床パネルのパネルフレームを載せ、前記ベースプレートに突設したボルトに、板状の金物を介して前記床パネルのフレームをナットで固定し、前記鋼製土台上に外壁パネルを取付けたため、建方時における床パネルと外壁パネルの位置調整を個別に行うことができる。また、ベースプレートと鋼製土台とを共通のアンカーボルトに取付けるので、アンカーボルトの設置本数が少なくて済み、基礎の構築が容易になると共に、ボルト締め箇所も少なくて済む。これらにより、建方や基礎構築の施工時間が短縮される。
この構造において、ベースプレートに固定ピンを突設し、押え金物の中間をボルト締めする構成とした場合は、各パネルフレームの固定孔を前記固定ピンに嵌め込み、１回のボルト締めを行うだけで、隣合う一対の床パネルをベースプレート上に固定できる。
また、内部柱の足元プレートに固定ピンを設け、押え金物の中間をボルト締めする構成とした場合も、各パネルフレームの固定孔を前記固定ピンに嵌め込み、１回のボルト締めを行うだけで、隣合う一対の床パネルを足元プレート上に固定することができる。
前記床パネルのパネルフレームを外向きの溝形鋼とした場合には、ベースプレート上や足元プレート上に床パネルのパネルフレームをボルト締めする作業を、ベースプレート上や足元プレート上に床パネルのパネルフレームをボルト締めする作業を、床パネル間の隙間や、床パネルと外壁パネル間の隙間から行うことができ、増改築に際しても、床パネルだけや、あるいは外壁パネルだけを取外すことができる。
【図面の簡単な説明】
【図１】この発明の一実施例に係る床パネル・外壁パネル固定構造を適用した建物の要部縦断面図である。
【図２】同床パネル・外壁パネル固定構造における下階部分の分解斜視図である。
【図３】（Ａ）は同固定構造におけるベースプレートの取付部を示す斜視図、（Ｂ）は出隅部での一階床パネルの取付部を示す斜視図、（Ｃ）は鋼製土台の取付部を示す斜視図、（Ｄ）は隣合う一階床パネルの取付部を示す斜視図である。
【図４】（Ａ）〜（Ｃ）は同固定構造における内部布基礎上での一階床パネルの取付部を示す平面図、側面図、および正面図である。
【図５】（Ａ）〜（Ｃ）は同固定構造に用いる一階床パネルのパネルフレームを示す平面図、側面図、および正面図である。
【図６】（Ａ）は同固定構造における上階部分の分解斜視図、（Ｃ）は２階床の全体を示す縮小概略平面図である。
【図７】（Ａ）は同固定構造における隣合う一階外壁パネルの上端部を示す斜視図、（Ｂ）は隣合う上階床パネルの取付部を示す斜視図、（Ｃ）は上階床大梁の斜視図、（Ｄ）はバルコニー腕木の取付部を示す分解斜視図である。
【図８】（Ａ），（Ｂ）は一階外壁パネル上への上階床パネルの取付構造を示す正面図および側面図である。
【図９】（Ａ）〜（Ｃ）は同固定構造に用いる上階床パネルのパネルフレームを示す平面図、側面図および正面図である。
【符号の説明】
１…布基礎、１Ａ…内部布基礎、２…アンカーボルト、３，３Ａ…ベースプレート、５…鋼製土台、８…一階床パネル、９…パネルフレーム、１３，１３Ａ…ボルト、１４，１４Ａ…固定ピン、１５…固定孔、１６…ナット、１７…押え金物、１８Ａ…下階内部柱、１９…足元プレート、２０…足元プレート押え金物、２１…ナット、２２…一階外壁パネル
【図１】
0003685843.tif 000002
【図２】
0003685843.tif 000003
【図３】
0003685843.tif 000004
【図４】
0003685843.tif 000005
【図５】
0003685843.tif 000006
【図６】
0003685843.tif 000007
【図７】
0003685843.tif 000008
【図８】
0003685843.tif 000009
【図９】
0003685843.tif 000010